(57)【要約】  MIMO通信と非MIMO通信とが切り替えられる場合に、チャネルの時間変動に対する追従性の低下を抑えつつ、SRS（Sounding Reference signal）リソースの増加を抑えることができる送信装置、受信装置、送信方法、及び通知方法。端末（２００）において、マッピング部（２１２）は、基地局（１００）から受け取るSRSホッピングパターンに関する情報に基づいて、パイロット生成部（２１６）から受け取るSRS系列をマッピングする。上記したSRSホッピングパターンでは、端末（２００）が具備する複数のアンテナの内の第１のアンテナでのSRSの送信頻度が、第２のアンテナでのSRSの送信頻度よりも高い。
2011135788.tif 000002
【特許請求の範囲】
【請求項１】
複数のアンテナを具備し、各アンテナから参照信号を送信する送信装置であって、
前記参照信号のホッピングパターンに基づいて、前記参照信号を時間周波数リソースにマッピングするマッピング手段と、
前記マッピングされた参照信号を送信する送信手段と、
を具備し、
前記ホッピングパターンでは、前記複数のアンテナの内の第１のアンテナでの前記参照信号の送信頻度が、第２のアンテナでの前記参照信号の送信頻度よりも高い、
送信装置。
【請求項２】
前記ホッピングパターンでは、前記第２のアンテナから前記参照信号が送信される時間周波数リソースが、前記第１のアンテナから前記参照信号が送信される時間周波数リソースと一致する、
請求項１に記載の送信装置。
【請求項３】
前記第２のアンテナについてのホッピングパターンが、所定の周期毎に変更される、
請求項２に記載の送信装置。
【請求項４】
前記ホッピングパターンでは、前記第２のアンテナから前記参照信号が複数のサブフレームで連続的に送信される送信区間と、前記参照信号が複数のサブフレームに亘って送信されない無送信区間とが混在する、
請求項１に記載の送信装置。
【請求項５】
前記ホッピングパターンでは、前記第２のアンテナから送信される前記参照信号の送信頻度が、周波数帯域によって異なる、
請求項１に記載の送信装置。
【請求項６】
送信装置の複数のアンテナから送信された参照信号を受信する受信装置であって、
前記送信装置に対して前記参照信号のホッピングパターンを設定する設定手段と、
前記設定されたホッピングパターンに関する情報を前記送信装置へ送信する送信手段と、
を具備し、
前記ホッピングパターンでは、前記複数のアンテナの内の第１のアンテナでの前記参照信号の送信頻度が、第２のアンテナでの前記参照信号の送信頻度よりも高い、
受信装置。
【請求項７】
複数のアンテナから参照信号を送信する送信方法であって、
前記複数のアンテナの内の第１のアンテナでの前記参照信号の送信頻度が、第２のアンテナでの前記参照信号の送信頻度よりも高くなるように設定された前記参照信号のホッピングパターンに基づいて、時間周波数リソースにマッピングされた参照信号を送信する、
送信方法。
【請求項８】
通信相手装置の複数のアンテナから送信される参照信号に関する情報を通知する通知方法であって、
前記通信相手装置に対して、前記複数のアンテナの内の第１のアンテナでの前記参照信号の送信頻度が、第２のアンテナでの前記参照信号の送信頻度よりも高くなるように設定されたホッピングパターンに関する情報を、前記通信相手装置へ送信する、
通知方法。
【発明の詳細な説明】
【技術分野】
【０００１】
本発明は、参照信号の送信装置、受信装置、送信方法、及び通知方法に関する。
【背景技術】
【０００２】
3GPP LTE(3rd Generation Partnership Project Long-term Evolution,以降では、LTEと呼ぶ)の上り回線では、受信品質測定用に、Sounding Reference signal(SRS)が用いられる（非特許文献1、２参照）。【０００３】
各端末から送信されるSRSは、時間、周波数、符号分割で多重される。また、SRSは、定期的（Periodic）な間隔で送信される。特に、SRSが同一時刻／周波数に符号分割多重される場合には、直交系列である巡回シフト系列（Cyclic Shift Sequence）が用いられる。なお、以下では、SRSがマッピングされる、時間、周波数、及び符号で特定されるリソースを、SRSリソースと呼ぶことがある。【０００４】
また、SRSの送信方法には、広帯域送信と狭帯域送信とがある。広帯域送信では、SRSが一時に広帯域で送信される一方、狭帯域送信では、SRSが一時に狭い帯域で送信される。従って、狭帯域送信では周波数ホッピングが採用され、送信帯域を順次変更することにより、広帯域と同等の帯域でSRSを送信することができる（図１参照）。このSRSの送信に必要なパラメータ（つまり、SRSパラメータ）は、報知情報又はRRC制御情報として上位レイヤにおいて基地局から端末へ通知される。このSRSパラメータには、SRSの送信帯域、SRSの送信間隔、SRSに乗算される巡回シフト系列の巡回シフト番号などが含まれる。【０００５】
また、LTE-Advanced(以降では、LTE-Aと呼ぶ)では、上り回線に適用する通信方式として、４×４の送受信アンテナを用いる通信方式であるSU-MIMO（Single User-Multiple Input Multiple Output）が検討されている。このMIMO通信方式を採用することにより、データレートを向上させることができる。このMIMO方式を採用する場合、送信アンテナと受信アンテナとから成るアンテナペアの構成アンテナ間のチャネルを推定する必要がある。すなわち、MIMO方式を採用する場合には、SRSは、時間、周波数、符号分割を用いて、各送信アンテナから送信される必要がある。
【先行技術文献】
【非特許文献】
【０００６】
【非特許文献１】TS36.331 v8.8.0 “3GPP TSG RAN; E-UTRA Radio Resource Control (RRC) ; Protocol specification”
【非特許文献２】TS36.211 v8.9.0 “3GPP TSG RAN; Evolved Universal Terrestrial Radio Access(E-UTRA); Physical Channels and Modulation”
【非特許文献３】R1-102305, DoCoMo, “Views on SRS Enhancement for LTE-Advanced”
【発明の概要】
【発明が解決しようとする課題】
【０００７】
ところで、LTE-Aでは、SRSの送信方法として、以下に示すような方法が検討されている。【０００８】
第１の送信方法では、基本的には、LTEで定義されるSRSパラメータを、複数の送信アンテナで共通する共通パラメータとして用いる。すなわち、複数の送信アンテナは、送信帯域、送信帯域幅及び送信間隔などを一致させて、複数のSRSを送信する。ただし、SRSに乗算される循環シフト系列の巡回シフト番号は、複数の送信アンテナで互いに異なっている。例えば、非特許文献３では、複数の送信アンテナから送信される複数のSRSを、同一時間/周波数に符号多重すると共に共通の周波数ホッピングパターンを用いて送信している。【０００９】
しかしながら、第１の送信方法では、図２に示すように、送信アンテナの数に比例して、SRSリソースも増加することになるので、他のチャネルのリソースを圧迫する問題がある。図２Ａは、周波数ホッピングが無い場合に、SRSが送信される状況を示す図であり、図２Ｂは、周波数ホッピングが有る場合に、SRSが送信される状況を示す図である。【００１０】
これに対して、第２の方法は、第１の送信方法よりも、SRSの送信間隔を拡げることにより、単位時間当たりのSRSリソース数を削減する方法である（非特許文献３参照）。例えば、LTEで定義されるSRSパラメータ（送信間隔）を用いて、各送信アンテナにおけるSRSの送信間隔を広げることで、SRSリソースを軽減することができる。【００１１】
しかしながら、図３に示すように、SRSの送信間隔を拡げると、チャネルの時間変動に追従できなくなる可能性がある。すなわち、SRSを用いた受信品質測定の誤差が大きくなる可能性がある。図３Ａは、周波数ホッピングが無い場合に、SRSが送信される状況を示す図であり、図３Ｂは、周波数ホッピングが有る場合に、SRSが送信される状況を示す図である。【００１２】
本発明の目的は、チャネルの時間変動に対する追従性の低下を抑えつつ、SRSリソースの増加を抑えることができる送信装置、受信装置、送信方法、及び通知方法を提供することである。
【課題を解決するための手段】
【００１３】
本発明の一態様の送信装置は、複数のアンテナを具備し、各アンテナから参照信号を送信する送信装置であって、前記参照信号のホッピングパターンに基づいて、前記参照信号を時間周波数リソースにマッピングするマッピング手段と、前記マッピングされた参照信号を送信する送信手段と、を具備し、前記ホッピングパターンでは、前記複数のアンテナの内の第１のアンテナでの前記参照信号の送信頻度が、第２のアンテナでの前記参照信号の送信頻度よりも高い。【００１４】
本発明の一態様の受信装置は、送信装置の複数のアンテナから送信された参照信号を受信する受信装置であって、前記送信装置に対して前記参照信号のホッピングパターンを設定する設定手段と、前記設定されたホッピングパターンに関する情報を前記送信装置へ送信する送信手段と、を具備し、前記ホッピングパターンでは、前記複数のアンテナの内の第１のアンテナでの前記参照信号の送信頻度が、第２のアンテナでの前記参照信号の送信頻度よりも高い。【００１５】
本発明の一態様の送信方法は、複数のアンテナから参照信号を送信する送信方法であって、前記複数のアンテナの内の第１のアンテナでの前記参照信号の送信頻度が、第２のアンテナでの前記参照信号の送信頻度よりも高くなるように設定された前記参照信号のホッピングパターンに基づいて、時間周波数リソースにマッピングされた参照信号を送信する。【００１６】
本発明の一態様の通知方法は、通信相手装置の複数のアンテナから送信される参照信号に関する情報を通知する通知方法であって、前記通信相手装置に対して、前記複数のアンテナの内の第１のアンテナでの前記参照信号の送信頻度が、第２のアンテナでの前記参照信号の送信頻度よりも高くなるように設定されたホッピングパターンに関する情報を、前記通信相手装置へ送信する。
【発明の効果】
【００１７】
本発明によれば、チャネルの時間変動に対する追従性の低下を抑えつつ、SRSリソースの増加を抑えることができる送信装置、受信装置、送信方法、及び通知方法を提供することができる。
【図面の簡単な説明】
【００１８】
【図１】SRSの送信方法（広帯域送信及び狭帯域送信）の説明に供する図
【図２】SRSが送信される状況を示す図
【図３】SRSが送信される状況を示す図
【図４】本発明の実施の形態１に係る基地局の構成を示すブロック図
【図５】本発明の実施の形態１に係る端末の構成を示すブロック図
【図６】SRSホッピングパターン１の説明に供する図
【図７】非MIMO通信モードからMIMO通信モードへの切り替えの説明に供する図
【図８】SRSホッピングパターン２の説明に供する図
【図９】本発明の実施の形態２に係るSRSホッピングパターン４の説明に供する図
【図１０】本発明の実施の形態２に係るSRSホッピングパターン４の説明に供する図
【図１１】SRSホッピングパターン１の説明に供する図
【図１２】本発明の実施の形態３に係るSRSホッピングパターン５の説明に供する図
【図１３】本発明の実施の形態４に係るSRSホッピングパターン６の説明に供する図
【図１４】他の実施の形態の説明に供する図
【発明を実施するための形態】
【００１９】
以下、本発明の実施の形態について図面を参照して詳細に説明する。なお、実施の形態において、同一の構成要素には同一の符号を付し、その説明は重複するので省略する。
【００２０】
［実施の形態１］
［システムの概要］
後述する基地局１００及び端末２００を含む通信システムでは、複数の下り単位バンド（ＣＣ：Component Carrier）を使用した通信、つまり、Carrier aggregationによる通信が行われる。
【００２１】
また、基地局１００と端末２００との間でも、基地局１００による端末２００に対するリソース割当によっては、Carrier aggregationによらない通信が行われることも可能である。
【００２２】
以下では、LTE向け及びLTE-A向けのFDDシステムを想定して説明する。また、LTE端末は、１つのアンテナを用いた通信方式（つまり、非MIMO通信方式）のみを用いることができる一方、LTE-A端末は、非MIMO通信方式とMIMO通信方式を切り替えることができる。また、以下では、１つの単位バンドを想定して説明する。
【００２３】
［基地局１００の構成］
図４は、本発明の実施の形態１に係る基地局１００の構成を示すブロック図である。図４において、基地局１００は、設定部１０１と、パイロット処理部１０２と、符号化・変調部１０３，１０４，１０５と、多重部１０６と、ＩＦＦＴ（Inverse Fast Fourier Transform）部１０７と、ＣＰ（Cyclic Prefix）付加部１０８と、送信部１０９と、アンテナ１１０と、受信部１１１と、ＣＰ除去部１１２と、ＦＦＴ（Fast Fourier Transform）部１１３と、抽出部１１４と、周波数等化部１１５と、ＩＤＦＴ（Inverse Discrete Fourier Transform）部１１６と、データ受信部１１７と、ＡＣＫ／ＮＡＣＫ受信部１１８とを有する。基地局１００は、例えば、ＬＴＥ−Ａ基地局である。なお、図４では、アンテナ１１０が１つのみ示されているが、実際には、複数のアンテナ１１０が設けられている。
【００２４】
設定部１０１は、設定対象端末２００が具備するアンテナ毎に、SRSのホッピングパターンを設定し、SRSホッピングパターン情報を生成する。SRSホッピングパターン情報は、SRSパラメータに含まれるものであり、周波数ホッピングパターン、SRS送信開始タイミング、及びSRS送信間隔に関する情報が少なくとも含まれる。SRSパラメータには、これらの他に、セル固有のSRS送信サブフレーム、セル固有のSRS送信帯域、SRS送信帯域幅、Comb番号（送信帯域に関連する情報）、SRS送信区間、ホッピング帯域幅等が含まれる。これらのSRSパラメータは、設定情報として、上位レイヤの制御情報（つまり、RRC制御情報）として、符号化・変調部１０４を介して各端末へ通知されると共に、パイロット処理部１０２及び抽出部１１４へ出力される。
【００２５】
具体的には、設定部１０１は、設定対象端末２００が具備する複数のアンテナの内、第１のアンテナでのSRSの送信頻度を、第２のアンテナでのSRSの送信頻度よりも高くする。すなわち、設定対象端末２００が具備する複数のアンテナには、SRSの送信頻度が互いに異なる複数のアンテナが含まれる。これは、第１のアンテナに設定されるSRS送信間隔を第２のアンテナに設定されるSRS送信間隔よりも短く設定することにより、実現される。
【００２６】
ここでは、さらに、設定部１０１は、相対的に送信頻度の低い第２のアンテナからSRSの送信される送信タイミング及び周波数位置を、第１のアンテナからSRSの送信される送信タイミング及び周波数位置と一致させる。
【００２７】
ここで、SRSパラメータの通知方法には、種々の方法が考えられる。例えば、設定対象端末２００が具備する複数のアンテナの周波数ホッピングパターンが、１つの基準パターンを構成する複数の要素の内の一部から構成される場合には、SRSパラメータの大部分をアンテナ間で共通とすることができる。従って、この場合には、共通部分については１つに纏めて、異なる部分のみがアンテナ毎に通知されても良い。これにより、シグナリング量を低減することができる。また、例えば、設定対象端末２００が具備する複数のアンテナに対して設定される巡回シフト番号が、１つのアンテナに設定される巡回シフト番号を基準として一定のオフセットを順次加算することでもとめられる場合には、基準となる巡回シフト番号及びオフセット値のみが通知されれば良い。これにより、シグナリング量を低減することができる。
【００２８】
また、設定部１０１は、系列グループに関する情報を、パイロット処理部１０２及び符号化・変調部１０４へ出力する。この系列グループは、予めセル単位で設定されている。
【００２９】
また、設定部１０１は、割当対象端末ごとに、割当制御情報を生成する。この割当制御情報には、端末の上り回線データを割り当てる上りリソース（例えば，ＰＵＳＣＨ（Physical Uplink Shared Channel））を示す上り割当情報、端末宛ての下り回線データを割り当てる下りリソース（例えば，ＰＤＳＣＨ（Physical Downlink Shared Channel））を示す下り割当情報、MCS情報、及び、HARQ情報などを含む。
【００３０】
そして、設定部１０１は、端末個別の割当制御情報（つまり、割当対象端末毎の上りリソース割当情報、下りリソース割当情報、ＭＣＳ情報、ＨＡＲＱ情報等を含む割当制御情報）を含むＰＤＣＣＨ（Physical Downlink Control Channel）信号を生成する。
【００３１】
具体的には、設定部１０１は、ＰＤＣＣＨ情報設定部１２１と、上位レイヤ情報設定部１２２とを有し、ＰＤＣＣＨ情報設定部１２１が、上記した割当制御情報の生成を行い、上位レイヤ情報設定部１２２が、上記した設定情報及び系列グループの設定を行う。
【００３２】
そして、設定部１０１は、SRSパラメータの内の巡回シフト番号及びSRS送信帯域幅をパイロット信号処理部１０２へ出力し、それ以外を抽出部１１４へ出力する。また、設定部１０１は、端末個別の割当制御情報を符号化・変調部１０３に出力する。また、設定部１０１は、割当制御情報のうち、上りリソース割当情報を抽出部１１４、パイロット処理部１０２に出力し、下りリソース割当情報を多重部１０６に出力する。
【００３３】
なお、SRSホッピングパターンについては、後に詳しく説明する。
【００３４】
符号化・変調部１０３は，設定部１０１から入力されるＰＤＣＣＨ信号をチャネル符号化後に変調して、変調後のＰＤＣＣＨ信号を多重部１０６に出力する。ここで、符号化・変調部１０３は、各端末から報告されるチャネル品質情報（ＣＱＩ：Channel Quality Indicator）に基づいて、各端末で十分な受信品質が得られるように符号化率を設定する。例えば、符号化・変調部１０３は、セル境界付近に位置する端末ほど（つまり、チャネル品質が悪い端末ほど）、より低い符号化率を設定する。
【００３５】
符号化・変調部１０４は、設定部１０１から入力される設定情報をチャネル符号化後に変調して、変調後の設定情報を多重部１０６に出力する。
【００３６】
符号化・変調部１０５は、各単位バンドにおいて、入力される送信データ（下り回線データ）をチャネル符号化後に変調して、変調後の送信データ信号を多重部１０６に出力する。
【００３７】
多重部１０６は、各単位バンドにおいて、符号化・変調部１０３から入力されるＰＤＣＣＨ信号、符号化・変調部１０４から入力される設定情報、および符号化・変調部１０５から入力されるデータ信号（つまり，ＰＤＳＣＨ信号）を多重する。ここで、多重部１０６は、設定部１０１から入力される下りリソース割当情報に基づいて、ＰＤＣＣＨ信号およびデータ信号（ＰＤＳＣＨ信号）をマッピングする。なお、多重部１０６は、設定情報をＰＤＳＣＨにマッピングしてもよい。そして、多重部１０６は、多重信号をＩＦＦＴ部１０７に出力する。
【００３８】
ＩＦＦＴ部１０７は、多重部１０６から入力される多重信号を時間波形に変換し、ＣＰ付加部１０８に出力する。
【００３９】
ＣＰ付加部１０８は、ＩＦＦＴ部１０７から受け取る時間波形にＣＰを付加してＯＦＤＭ信号を生成し、送信部１０９に出力する。
【００４０】
送信部１０９は、ＣＰ付加部１０８から入力されるＯＦＤＭ信号に対して送信無線処理（アップコンバート、ディジタルアナログ（Ｄ／Ａ）変換など）を施し、アンテナ１１０を介して送信する。ここでは、単数のアンテナで示しているが、複数のアンテナを有していてもよい。
【００４１】
受信部１１１は、アンテナ１１０を介して受信帯域で受信した受信無線信号に対して受信無線処理（ダウンコンバート、アナログディジタル（Ａ／Ｄ）変換など）を施し、得られた受信信号をＣＰ除去部１１２に出力する。
【００４２】
ＣＰ除去部１１２は、受信信号からＣＰを除去し、ＦＦＴ部１１３は、ＣＰ除去後の受信信号を周波数領域信号に変換する。
【００４３】
抽出部１１４は，設定部１０１から入力されるSRSパラメータに基づいて、SRSリソースを特定し、ＦＦＴ部１１３から入力される周波数領域信号の内、その特定したSRSリソースに含まれるSRS信号部分を抽出する。この抽出されたSRS信号部分は、パイロット処理部１０２に出力される。また、ＦＦＴ部１１３から入力される周波数領域信号の内、SRS信号部分以外のSRS信号部分は、周波数等化部１１５へ出力される。なお、端末２００から送信されるSRSの受信頻度に関しては、端末２００が具備する複数のアンテナの内、第１のアンテナから送信されるSRSの受信頻度が、第２のアンテナから送信されるSRSの受信頻度よりも多くなっている。すなわち、第１のアンテナから送信されるSRSの受信間隔は、第２のアンテナから送信されるSRSの受信間隔よりも短くなっている。ここでは、さらに、相対的に送信頻度の低い第２のアンテナから送信されるSRSの受信タイミング及び受信周波数位置は、第１のアンテナから送信されたSRSの受信タイミング及び受信周波数位置と一致させる。
【００４４】
パイロット処理部１０２は、系列グループに関する情報及びSRSパラメータに基づいて、上記した設定対象端末と自装置との間の伝搬路状況を推定する（つまり、チャネル推定する）。
【００４５】
具体的には、パイロット処理部１０２は、設定部１０１から受け取る系列グループに関する情報及びSRSパラメータ（特に、SRS送信帯域幅）を用いて、系列を導出する。ここで、送信帯域幅と系列との対応関係としては、例えば、非特許文献２に記載された対応関係が用いられる。また、パイロット処理部１０２は、設定部１０１から出力されるSRSパラメータ（特に、巡回シフト番号）に基づいて、上記のように導出した系列に対して巡回シフト（ここで、周波数領域では位相回転）を施す。そして、パイロット処理部１０２は、抽出部１１４から受け取るSRSに対して、上記のように巡回シフトを施した系列の複素共役を乗算して干渉成分を取り除くことにより、伝播路状況を推定する。こうして得られた推定値は、周波数等化部１１５に出力される。なお、SRS以外のパイロット信号では、巡回シフト量、送信帯域幅がSRSパラメータで指示されたものと異なるものでも良い。例えば、上りリソース割当情報に含まれてPDCCHで通知されるものでも良い。
【００４６】
ＩＤＦＴ部１１６は、抽出信号を時間領域信号に変換し、得られた時間領域信号をデータ受信部１１７およびＡＣＫ／ＮＡＣＫ受信部１１８に出力する。
【００４７】
データ受信部１１７は、ＩＤＦＴ部１１６から受け取る時間領域信号を復号する。そして、データ受信部１１７は、復号後の上り回線データを受信データとして出力する。
【００４８】
ＡＣＫ／ＮＡＣＫ受信部１１８は、ＩＤＦＴ部１１６から受け取る時間領域信号の内、下り回線データに対するＡＣＫ／ＮＡＣＫ信号を抽出し、抽出したＡＣＫ／ＮＡＣＫ信号のＡＣＫ／ＮＡＣＫ判定を行う。
【００４９】
［端末２００の構成］
図５は、本発明の実施の形態１に係る端末２００の構成を示すブロック図である。図５において、端末２００は、アンテナ２０１と、受信部２０２と、ＣＰ除去部２０３と、ＦＦＴ部２０４と、分離部２０５と、設定情報受信部２０６と、ＰＤＣＣＨ受信部２０７と、ＰＤＳＣＨ受信部２０８と、変調部２０９，２１０と、ＤＦＴ（Discrete Fourier transform）部２１１と、マッピング部２１２と、ＩＦＦＴ部２１３と、ＣＰ付加部２１４と、送信部２１５と、パイロット生成部２１６とを有する。端末２００は、例えば、ＬＴＥ−Ａ端末である。なお、図５では、アンテナ２０１が１つのみ示されているが、実際には、複数のアンテナ２０１が設けられている。
【００５０】
受信部２０２は，アンテナ２０１を介して受信帯域で受信した受信無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。なお、受信信号には、ＰＤＳＣＨ信号、ＰＤＣＣＨ信号、および設定情報を含む上位レイヤの制御情報が含まれる。
【００５１】
ＣＰ除去部２０３は、受信信号からＣＰを除去し、ＦＦＴ部２０４は、ＣＰ除去後の受信信号を周波数領域信号に変換する。この周波数領域信号は、分離部２０５に出力される。
【００５２】
分離部２０５は、ＦＦＴ部２０４から入力される信号を、上記した上位レイヤの制御信号（例えば、RRC signaling等）と、ＰＤＣＣＨ信号と、データ信号（つまり、ＰＤＳＣＨ信号）とに分離する。そして、分離部２０５は、制御信号を設定情報受信部２０６に出力し、ＰＤＣＣＨ信号をＰＤＣＣＨ受信部２０７に出力し、ＰＤＳＣＨ信号をＰＤＳＣＨ受信部２０８に出力する。
【００５３】
設定情報受信部２０６は、SRSパラメータ（特に、巡回シフト量、SRS送信帯域幅）及び系列グループに関する情報を読み取り、パイロット生成部２１６に出力する。また、設定情報受信部２０６は，SRSパラメータ（特に、セル固有SRS送信サブフレーム、セル固有SRS送信帯域、SRS送信帯域、SRS送信帯域幅、Comb番号、送信タイミング、送信間隔、送信区間、ホッピング帯域幅など）を読み取り、マッピング部２１２に出力する。
【００５４】
ＰＤＣＣＨ受信部２０７は、分離部２０５から受け取るＰＤＣＣＨ信号から自端末宛てのＰＤＣＣＨ信号を抽出する。そして、ＰＤＣＣＨ受信部２０７は、自端末宛てのＰＤＣＣＨ信号に含まれる下りリソース割当情報をＰＤＳＣＨ受信部２０８に出力し、上りリソース割当情報をマッピング部２１２及びパイロット生成部２１６に出力する。
【００５５】
ＰＤＳＣＨ受信部２０８は、ＰＤＣＣＨ受信部２０７から受け取る下りリソース割当情報に基づいて、分離部２０５から受け取るＰＤＳＣＨ信号から受信データ（下り回線データ）を抽出する。また、ＰＤＳＣＨ受信部２０８は、抽出した受信データ（下り回線データ）に対して誤り検出を行う。そして、ＰＤＳＣＨ受信部２０８は、誤り検出の結果、受信データに誤りがある場合には、ＡＣＫ／ＮＡＣＫ信号としてＮＡＣＫ信号を生成し、受信データに誤りが無い場合には、ＡＣＫ／ＮＡＣＫ信号としてＡＣＫ信号を生成する。こうして生成されたＡＣＫ／ＮＡＣＫ信号は、変調部２０９に出力される。
【００５６】
変調部２０９は、ＰＤＳＣＨ受信部２０８から入力されるＡＣＫ／ＮＡＣＫ信号を変調し、変調後のＡＣＫ／ＮＡＣＫ信号をＤＦＴ部２１１に出力する。
【００５７】
変調部２１０は、送信データ（つまり、上り回線データ）を変調し、変調後のデータ信号をＤＦＴ部２１１に出力する。
【００５８】
ＤＦＴ部２１１は、変調部２０９から入力されるＡＣＫ／ＮＡＣＫ信号および変調部２１０から入力されるデータ信号を周波数領域に変換し、得られる複数の周波数成分をマッピング部２１２に出力する。
【００５９】
パイロット生成部２１６は、設定情報受信部２０６から受け取る、系列グループに関する情報及びSRSパラメータ（特に、巡回シフト番号、SRS送信帯域幅）に基づいたSRS系列を送出する。
【００６０】
具体的には、パイロット生成部２１６は、系列グループに関する情報およびSRS送信帯域幅情報に基づいてSRSの系列長および系列番号を決定し、この決定された系列番号及び系列長に対応するSRS系列を生成する。そして、パイロット生成部２１６は、SRSパラメータ（特に、巡回シフト番号）に基づいて、生成したSRS系列に巡回シフトを施す。また、パイロット生成部２１６は、SRS以外のパイロット信号も生成する。例えば、パイロット生成部２１６は設定情報受信部２０６から出力される系列グループに関する情報、及び、PDCCH受信部２０７から出力される上りリソース割当情報の送信帯域幅情報に基づいて、データ信号の復調用のパイロット信号を生成する。なお、パイロット信号に巡回シフトが加えられる場合には、パイロット生成部２１６は、そのパイロット信号に対して、上りリソース割当情などに含まれる巡回シフト量を施す。
【００６１】
マッピング部２１２は、設定情報受信部２０６から受け取るSRSパラメータに含まれるSRSホッピングパターン情報に基づいて、パイロット生成部２１６から受け取るSRS系列をマッピングする。このSRSホッピングパターンは、端末２００の具備する複数の送信アンテナの内の少なくとも一部のアンテナ間で異なっている。
【００６２】
具体的には、マッピング部２１２は、端末２００が具備する複数のアンテナの内、第１のアンテナでのSRSの送信頻度が第２のアンテナでのSRSの送信頻度よりも多くなるように、SRSをマッピングする。すなわち、端末２００が具備する複数のアンテナには、SRSの送信頻度が互いに異なる複数のアンテナが含まれる。これは、第１のアンテナから送信されるSRSの送信間隔を第２のアンテナから送信されるSRSの送信間隔よりも短くすることにより、実現される。
【００６３】
ここでは、さらに、マッピング部２１２は、相対的に送信頻度の低い第２のアンテナから送信するSRSをマッピングする送信タイミング及び周波数位置と、第１のアンテナから送信されるSRSをマッピングする送信タイミング及び周波数位置とを一致させる。
【００６４】
また、マッピング部２１２は、ＰＤＣＣＨ受信部２０７から入力される上りリソース割当情報に従って、ＤＦＴ部２１１から入力される複数の周波数成分の内、データ信号に相当する周波数成分、パイロット生成部２１６から入力されるパイロット系列の周波数成分を、ＰＵＳＣＨにマッピングする。また、マッピング部２１２は、ＤＦＴ部２１１から入力される複数の周波数成分の内、ＡＣＫ／ＮＡＣＫ信号に相当する周波数成分またはコードリソースをＰＵＣＣＨにマッピングする。なお、ここではＡＣＫ／ＮＡＣＫ信号をＰＵＣＣＨにマッピングしたが、ＰＵＳＣＨにマッピングしてもよい。
【００６５】
ＩＦＦＴ部２１３は、マッピング部２１２でマッピングされた複数の周波数成分を時間領域波形に変換し、ＣＰ付加部２１４は、その時間領域波形にＣＰを付加する。
【００６６】
送信部２１５は，送信帯域を変更可能に構成されており、設定情報受信部２０６から入力される帯域情報に基づいて、送信帯域を設定する。そして、送信部２１５は、ＣＰが付加された信号に送信無線処理（アップコンバート、ディジタルアナログ（Ｄ／Ａ）変換など）を施してアンテナ２０１を介して送信する。
【００６７】
なお、変調部２０９、変調部２１０、ＤＦＴ部２１１およびマッピング部２１２は、単位バンド毎に設けられてもよい。
【００６８】
また、上記したSRSパラメータは、各セルのトラヒック状況の変化が小さい場合又は平均的な受信品質を測定したい場合などには、通知間隔が長い上位レイヤ情報（つまり、RRCシグナリング）で通知することにより、トラヒックを軽減することができる。さらには、SRSパラメータの一部または全てを報知情報として通知することにより、よりトラヒックを軽減することができる。しかしながら、トラヒック状況などに応じてより動的に変更する必要がある場合などには、SRSパラメータの一部または全てを、RRCシグナリングに比べて通知間隔が短いPDCCHによって通知することが好ましい。
【００６９】
［基地局１００及び端末２００の動作］
以上の構成を有する基地局１００及び端末２００の動作について説明する。ここでは、特に、SRSホッピングパターンについて説明する。
【００７０】
上述の通り、基地局１００は、端末２００に対してSRSホッピングパターンを指示する一方、端末２００は、その指示されたSRSホッピングパターンに従って、SRSを送信する。
【００７１】
〈SRSホッピングパターン１〉
図６は、SRSホッピングパターン１の説明に供する図である。図６Ａには、周波数ホッピングが採用されない場合（つまり、広帯域でSRSが送信される場合）のSRSホッピングパターンが示され、図６Ｂには、周波数ホッピングが採用される場合のSRSホッピングパターンが示されている。
【００７２】
図６に示すように、SRSホッピングパターン１では、端末２００が具備する複数のアンテナの内、第１のアンテナ（アンテナ＃１）でのSRSの送信頻度は、第２のアンテナ（アンテナ＃２）でのSRSの送信頻度よりも高くなっている。
【００７３】
さらに、SRSホッピングパターン１では、相対的に送信頻度の低い第２のアンテナ（アンテナ＃２）からSRSの送信される送信タイミング及び周波数位置は、第１のアンテナ（アンテナ＃１）からSRSの送信される送信タイミング及び周波数位置と一致する。
【００７４】
また、別の見方をすれば、次のように理解することもできる。すなわち、第１のアンテナのSRSホッピングパターンを基準パターンと捉えると、第２のアンテナのSRSホッピングパターンは、第１のアンテナのSRSホッピングパターンを構成する要素群の内の一部から構成されている。
【００７５】
このようにすることで、上記した第１の送信方法に比べて、SRSリソースの増加を抑えることができる。
【００７６】
ここで、MIMO通信（つまり、複数のアンテナを用いた空間多重通信）は、伝搬路状況の良好な場合に、スループットを向上することができる。このため、通常は１本の送信アンテナで非MIMO通信を行い、受信品質が良い場合には、複数の送信アンテナを用いるMIMO通信に切り替えるという運用でも、スループットを向上することできる。データ送信のための周波数スケジューリング（つまり、品質の良好なリソースブロック（RB）の選択等）及びMCS制御を実行するためには、非MIMO通信では１本のアンテナでの受信品質測定のみを行い、MIMO通信では複数のアンテナで受信品質測定を行えば良い。
【００７７】
しかしながら、図７に示すように、１本のアンテナのみの受信品質を測定している場合では、それ以外のアンテナの受信品質が未定であるため、非MIMO通信モードからMIMO通信モードに切り替えるタイミングを把握することできない。すなわち、非MIMO通信モードからMIMO通信モードに切り替えるためには、非MIMO通信モードが採用されているタイミングでも、MIMO通信モードで用いられるアンテナの受信品質を定期的に測定しておく必要がある。
【００７８】
これに対して、SRSホッピングパターン１では、端末２００が具備する複数のアンテナの内、一部のアンテナで、全くSRSが送信されないのではなく、SRSの送信頻度が抑えられている。従って、チャネルの時間変動に対する追従性の低下を、一部のアンテナに限定することができる。
【００７９】
また、端末２００の具備する複数のアンテナにそれぞれ対応する複数のアンプの利得にバラツキがある場合には、より出力の高いアンプに対応するアンテナを上記した第１のアンテナとし、それ以外のアンテナを上記した第２のアンテナとしても良い。又は、非MIMOモードで使用するアンテナが決まっている場合には、そのアンテナを上記した第１のアンテナとし、それ以外のMIMO通信モード時に追加的に用いられるアンテナを上記した第２のアンテナとしても良い。つまり、ここでは、第１のアンテナを主要アンテナと捉えることができる。
【００８０】
以上のように本実施の形態によれば、基地局１００において、設定部１０１が、設定対象端末２００が具備するアンテナ毎に、SRSのホッピングパターンを設定し、SRSホッピングパターン情報を生成する。このSRSホッピングパターン情報は、符号化・変調部１０４等の送信手段を介して端末２００へ送信される。
【００８１】
そして、その設定されるSRSホッピングパターンでは、設定対象端末２００が具備する複数のアンテナの内、第１のアンテナでのSRSの送信頻度が、第２のアンテナでのSRSの送信頻度よりも高い。さらに、第２のアンテナからSRSの送信される送信タイミング及び周波数位置が、第１のアンテナからSRSの送信される送信タイミング及び周波数位置と一致する。
【００８２】
また、端末２００において、マッピング部２１２は、基地局１００から受け取るSRSホッピングパターン情報に基づいて、パイロット生成部２１６から受け取るSRS系列をマッピングする。
【００８３】
そして、そのSRSホッピングパターンでは、設定対象端末２００が具備する複数のアンテナの内、第１のアンテナでのSRSの送信頻度が、第２のアンテナでのSRSの送信頻度よりも高い。さらに、第２のアンテナからSRSの送信される送信タイミング及び周波数位置が、第１のアンテナからSRSの送信される送信タイミング及び周波数位置と一致する。
【００８４】
こうすることで、MIMO通信と非MIMO通信とが切り替えられる場合にも、チャネルの時間変動に対する追従性の低下を抑えつつ、SRSリソースの増加を抑えることができる。
【００８５】
特に、第１のアンテナ及び第２のアンテナから同一時間、同一周波数にSRSが送信されるリソースでは、時間差及び周波数の差による受信品質の測定誤差が少ない。そのため、MIMO送信におけるウェイト設定などで、高精度な設定ができる。また、第２のアンテナから送信されず、第１のアンテナからSRSが送信される時間周波数リソースでは、符号多重されるSRSの数が少なくなるので、SRS間の系列間干渉も軽減できる。これにより、誤差の少ない受信品質推定が可能になる。
【００８６】
なお、以上の説明では、第１のアンテナで用いられるSRSホッピングパターンを基準パターンとし、第２のアンテナで用いられるSRSホッピングパターンが基準パターンを構成する要素群の内の一部から構成されるものとして説明した。しかしながら、本発明はこれに限定されるものではなく、第１のアンテナで用いられるSRSホッピングパターン及び第２のアンテナで用いられるSRSホッピングパターンのそれぞれが、基準パターンを構成する要素群の内の一部から構成されるものでも良い。ただし、第２のアンテナで用いられるSRSホッピングパターンが、第１のアンテナで用いられるSRSホッピングパターンを構成する要素群の内の一部から構成される。
【００８７】
また、非MIMO通信モードでは，主要アンテナ以外のアンテナのSRSを低頻度で送信し、MIMO通信モードでは、全ての送信アンテナのSRSを高頻度で送信するようにしても良い。これにより、MIMO通信モード時の伝搬路品質を高精度で測定可能である。
【００８８】
〈SRSホッピングパターン２〉
以上の説明では、第１のアンテナと第２のアンテナとで、送信タイミング及び周波数位置の両方が一致するものとして説明を行った。しかしながら、本発明はこれに限定されるものではなく、図８に示すように、第１のアンテナと第２のアンテナとで、少なくともSRSが送信されるタイミングが一致していれば、必ずしも周波数位置が一致しなくても良い。
【００８９】
〈SRSホッピングパターン３〉
さらには、第１のアンテナと第２のアンテナとで、SRSが送信タイミング及び周波数位置の両方が一致しなくても良い。要は、第１のアンテナでのSRSの送信頻度が、第２のアンテナでのSRSの送信頻度よりも高ければ良い。こうすることで、MIMO通信と非MIMO通信とが切り替えられる場合にも、チャネルの時間変動に対する追従性の低下を抑えつつ、SRSリソースの増加を抑えることができる。
【００９０】
［実施の形態２］
実施の形態２は、SRSホッピングパターンのバリエーションに関する。具体的には、第２のアンテナに適用されるSRSホッピングパターンが、ホッピングパターンの適用周期単位で切り替えられる。これにより、SRSが送信される周波数が分散される。
【００９１】
実施の形態２に係る基地局及び端末の基本構成は、実施の形態１と共通するので、図４、５を援用して説明する。
【００９２】
実施の形態２に係る基地局１００の設定部１０１は、実施の形態１と同様に、設定対象端末２００が具備するアンテナ毎に、SRSのホッピングパターンを設定し、SRSホッピングパターン情報を生成する。
【００９３】
ただし、実施の形態２において、設定部１０１は、設定対象端末２００が具備する第２のアンテナに適用されるSRSホッピングパターンを、ホッピングパターンの適用周期単位で切り替える。適用周期は、複数のサブフレームから構成される。具体的には、設定部１０１は、基準となる適用周期に第２のアンテナに対して適用するSRSホッピングパターンと、当該基準となるSRSホッピングパターンと各適用周期に適用するSRSホッピングパターンとのオフセット値とをさらに設定する。この基準となる適用周期に適用するSRSホッピングパターン、及び、オフセット値も、上記したSRSホッピングパターン情報に含められる。
【００９４】
この基準となる適用周期は、最初の適用周期でも良いし、直前の適用周期でも良い。
【００９５】
実施の形態２に係る端末２００のマッピング部２１２は、実施の形態１と同様に、設定情報受信部２０６から受け取るSRSパラメータに含まれるSRSホッピングパターン情報に基づいて、パイロット生成部２１６から受け取るSRS系列をマッピングする。
【００９６】
ただし、実施の形態２に係る端末２００のマッピング部２１２は、第２のアンテナに適用されるSRSホッピングパターンを、ホッピングパターンの適用周期単位で切り替える。具体的には、マッピング部２１２は、任意の適用周期において、基準となる適用周期に適用するSRSホッピングパターンを、その任意の適用周期に割り当てられたオフセット値と同数のサブフレームだけ時間方向に循環シフトさせたSRSホッピングパターンに基づいて、SRS系列をマッピングする。
【００９７】
以上の構成を有する基地局１００及び端末２００の動作について説明する。
【００９８】
〈SRSホッピングパターン４〉
図９は、SRSホッピングパターン４の説明に供する図である。図９に示すようにSRSホッピングパターン４では、第２のアンテナ（アンテナ＃２）に適用されるSRSホッピングパターンが、ホッピングパターンの適用周期単位で切り替えられる。図９では、１つの適用周期は、４つのサブフレームから構成されている。
【００９９】
図９においては、最初の適用周期では、１番目のサブフレームと３番目のサブフレームとでSRSが送信され、次の適用周期では、最初の適用周期に対するオフセット値として１が設定されているので、２番目のサブフレームと４番目のサブフレームとで、SRSが送信される。また、３番目の適用周期では、最初の適用周期に対するオフセット値として０が設定されているので、１番目のサブフレームと３番目のサブフレームとでSRSが送信される。すなわち、図９においては、奇数番目のサブフレームでSRSが送信される適用周期と、偶数番目のサブフレームでSRSが送信される適用周期とが、交互に繰り返されている。
【０１００】
すなわち、図９では、第１のアンテナから、適用周期毎に同じ周波数でSRSが送信される一方、第１のアンテナ以外のアンテナから、適用周期毎に異なるオフセット値に対応する周波数でSRSが送信される。
【０１０１】
なお、図９では、端末２００に割り当てられる周波数帯域の分割数が４であり、適用周期を構成するサブフレーム数が４であるが、SRSホッピングパターン４では、分割数及びサブフレーム数の組み合わせはこれに限定されるものではない。例えば、図１０に示すように、端末２００に割り当てられる周波数帯域の分割数が５であり、適用周期を構成するサブフレーム数が１０であっても良い。
【０１０２】
ここで、図１１に示すように、第２のアンテナからSRSが送信される周波数を固定化すると、一部の周波数ではSRSが全く送信されない状況が生じる。具体的には、図１１に示すように、端末２００に割り当てられる周波数帯域が偶数の部分帯域に分割される場合、第１のアンテナ以外のアンテナでは、２番目の部分帯域と４番目の部分帯域とからは常にSRSが送信されない。なお、第１のアンテナ以外のアンテナから送信されるSRSの周波数帯域を２倍に拡げることにより、端末２００に割り当てられる周波数帯域の全体をカバーする方法も考えられる。しかしながら、この方法では、異なる帯域幅を持つ複数の系列を符号多重することになり、巡回シフト系列（直交系列）による系列間干渉の軽減効果が小さくなる。従って、受信品質に測定誤差が大きくなる。また、SRSの送信帯域を拡げると、SRSリソースが増加してしまう問題もある。
【０１０３】
これに対して、SRSホッピングパターン４を用いることにより、SRSが送信される周波数を分散することができる。
【０１０４】
なお、上記した適用周期は、基準パターンによって全ての周波数帯域にSRSがマッピングされるのに要する時間としても良いし、主要アンテナとそれ以外のアンテナの送信間隔比の倍数が、端末２００に割り当てられる周波数帯域の分割数の倍数となる時間でも良い。また、基準パターンの構成要素を周波数帯域の分割数と同じにするなど、周波数帯域の分割数と基準パターンの構成要素の数とを関連付けても良い。
【０１０５】
以上のように本実施の形態によれば、２のアンテナに適用されるSRSホッピングパターンが、ホッピングパターンの適用周期単位で切り替えられる。これにより、SRSが送信される周波数が分散される。
【０１０６】
［実施の形態３］
実施の形態３は、SRSホッピングパターンのバリエーションに関する。具体的には、第２のアンテナからSRSが送信される区間と、全く送信されない区間とが混在する。
【０１０７】
実施の形態３に係る基地局及び端末の基本構成は、実施の形態１と共通するので、図４、５を援用して説明する。
【０１０８】
実施の形態３に係る基地局１００の設定部１０１は、実施の形態１と同様に、設定対象端末２００が具備するアンテナ毎に、SRSのホッピングパターンを設定し、SRSホッピングパターン情報を生成する。
【０１０９】
ただし、実施の形態３に係る基地局１００の設定部１０１は、設定対象端末２００が具備する第２のアンテナからSRSが送信される区間と全く送信されない区間とを切り替える。例えば、Nサブフレームを１区間とし、SRS送信区間とSRS非送信区間とを区間単位で切り替える。この切り替えは、SRSの送信間隔を区間単位にすることで、実現できる。また、１区間を構成するサブフレームの数Nは、固定にしても良いし、上位レイヤを用いて基地局１００から端末２００へ通知しても良いし、端末２００が自装置に割り当てられた全周波数帯域、部分帯域の帯域幅、及び周波数ホッピングパターンに基づいて算出しても良い。
【０１１０】
実施の形態２に係る端末２００のマッピング部２１２は、実施の形態１と同様に、設定情報受信部２０６から受け取るSRSパラメータに含まれるSRSホッピングパターン情報に基づいて、パイロット生成部２１６から受け取るSRS系列をマッピングする。
【０１１１】
ただし、実施の形態２に係る端末２００のマッピング部２１２は、第２のアンテナからSRSが送信される区間と全く送信されない区間とを切り替える。
【０１１２】
以上の構成を有する基地局１００及び端末２００の動作について説明する。
【０１１３】
〈SRSホッピングパターン５〉
図１２は、SRSホッピングパターン５の説明に供する図である。図１２に示すようにSRSホッピングパターン５では、第２のアンテナ（アンテナ＃２）からSRSが送信される区間と、全く送信されない区間とが混在する。図１２では、１区間は、４つのサブフレームから構成され、実施の形態２の適用周期と一致している。また、SRSの送信区間に着目すると、SRS送信区間では、第１のアンテナのSRSホッピングパターンと第２のアンテナのSRSホッピングパターンとが一致している。
【０１１４】
このようなSRSの送信区間の切り替えは、基地局１００が端末２００に対して第２のアンテナにおけるSRSの送信間隔が２区間であることを示す情報を送信することで実現される。
【０１１５】
このようなSRSホッピングパターンによっても、端末２００のアンテナ間でSRSの送信頻度に偏りを持たせることができる。また、SRSホッピングパターン４と同様に、SRSが送信される周波数を分散することもできている。
【０１１６】
［実施の形態４］
実施の形態４は、SRSホッピングパターンのバリエーションに関する。具体的には、第２のアンテナにおけるSRSの送信頻度が、周波数帯域に応じて異なる。
【０１１７】
〈SRSホッピングパターン６〉
図１３は、SRSホッピングパターン６の説明に供する図である。図１３に示すようにSRSホッピングパターン６では、第２のアンテナ（アンテナ＃２）に適用されるSRSホッピングパターンが、ホッピングパターンの適用周期単位で切り替えられる。SRSホッピングパターン６では、第１のアンテナと同じSRSホッピングパターンが用いられる適用周期と、第１のアンテナに適用されるSRSホッピングパターンを構成する要素群の一部を構成要素とするSRSホッピングパターンが用いられる適用区間とが混在する。
【０１１８】
図１３においては、最初の適用区間では、１番目の部分帯域及び２番目の部分帯域でのみSRSが送信される一方、２番目の適用区間では、１番目から４番目の部分帯域の全てでSRSが送信される。
【０１１９】
このようなSRSホッピングパターンによっても、端末２００のアンテナ間でSRSの送信頻度に偏りを持たせることができる。さらに、複数の部分帯域間で、第２のアンテナからSRSが送信される頻度に偏りを持たせることができる。
【０１２０】
なお、端末２００に割り当てられた周波数帯域の両端付近に位置する部分帯域では、主要アンテナからはSRSを常に送信し、それ以外のアンテナからはSRSの送信頻度を減少させても良い。両端の周波数帯域では、制御情報用に送信されるパイロット信号で受信品質を測定できる。従って、そのパイロット信号によって測定された受信品質と、送信頻度の高い部分周波数で測定された受信品質とを用いて補間することにより、送信頻度が少ない部分帯域の受信品質を算出することができるからである。
【０１２１】
［他の実施の形態］
（１）実施の形態１において、基準パターンの送信間隔と、非主要アンテナに適用されるSRSホッピングパターンの送信間隔との関係によっては、「非主要アンテナに適用されるSRSホッピングパターンの要素が、基準パターンを構成する要素群の一部である」という条件を満すことができない場合がある。例えば、図１４に示すように、基準パターンの送信間隔が2ms(つまり、2, 4, 6, 8, 10msでSRSが送信される)であり、主要アンテナ以外のアンテナに適用されるSRSホッピングパターンの送信間隔が5ms(つまり、5, 10msで送信)である場合には、基準パターンには5ms時点にSRS送信リソースが存在しないので、非主要アンテナに適用されるSRSホッピングパターンをそのまま用いる場合には、上記条件が満たされない。
【０１２２】
このような状況を避けるための第１の方法として、各送信アンテナに適用されるSRSホッピングパターン送信間隔を、基準パターンの送信間隔の整数倍のみとする。
【０１２３】
また、第２の方法として、各アンテナに適用されるSRSホッピングパターンの要素で、上記条件を満たさない要素に対応するサブフレームでは、SRSの送信を行わない（つまり、ドロップする）。
【０１２４】
また、第３の方法として、各アンテナに適用されるSRSホッピングパターンの要素で、上記条件を満たさない要素に対応するサブフレームではSRSの送信を行わず、基準パターンを構成する要素と一致し且つそのサブフレームに最も近いサブフレームで、SRSの送信を行う。例えば、図１４に示すように、主要アンテナ以外のアンテナに適用されるSRSホッピングパターンの送信間隔が5msである場合、SRSの送信は、5msのSRSリソースでは行われず、その前後（4ms又は6ms）のSRSリソースで行われる。なお、上記条件を満たさない要素に対応するサブフレームよりも前のサブフレームで最も近いサブフレームとしても良いし、後ろのサブフレームで最も近いサブフレームとしても良い。
【０１２５】
（２）上記各実施の形態において説明したSRSホッピングパターンは、それぞれが単独で用いられても良いし、SRSホッピングパターンを切り替えても良い。
【０１２６】
例えば、端末２００が具備する複数のアンテナの全てから、同一のタイミング及び周波数位置でSRSが送信される第１のモードの場合には、SRSホッピングパターン１を用いる一方、端末２００が具備する複数のアンテナの全てから、異なるタイミング及び周波数位置でSRSが送信される第２のモードの場合には、SRSホッピングパターン３のように、各アンテナで独立のSRSホッピングパターンを用いる。
【０１２７】
こうすることで、両方のモードの利点を活用することができる。すなわち、第２のモードでは、複数のアンテナから独立のリソースでSRSを送信するので、空きリソースを効率良く柔軟に利用することができる。また、第１のモードでは、複数のアンテナから同一リソースでSRSが送信されるので、時間差及び周波数の差による受信品質の測定誤差が少ない。そのため、MIMO送信におけるウェイト設定などで、高精度な設定ができる。
【０１２８】
（３）上記各実施の形態では、上位レイヤによって送信開始などが通知されるPeriodic SRSを前提にして説明した。しかしながら、本発明はこれに限定されるものではなく、Periodic SRSを、PDCCH(Physical Downlink Control Channel)などで通知されるDynamic Aperiodic SRSなどに置き換えても良い。Dynamic Aperiodic SRSが長期的な区間で送信される場合には、本発明と同様の効果を得ることができる。
【０１２９】
（４）上記各実施の形態では、主要アンテナ（例えば、Non-MIMOで用いるアンテナ）をアンテナ＃１、非主要アンテナ（例えば、MIMO時に追加で用いるアンテナ）をアンテナ＃２として説明したが、本発明はこれに限定されるものではない。例えば、主要アンテナをアンテナ＃１，２とし、非主要アンテナをアンテナ＃３、４としても良い。
【０１３０】
（５）上記各実施の形態では、アンテナとして説明したが、本発明はアンテナポート（antenna port）でも同様に適用できる。
【０１３１】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１３２】
例えば3GPP LTEにおいては、アンテナポートが何本の物理アンテナから構成されるかは規定されず、基地局が異なる参照信号（Reference signal）を送信できる最小単位として規定されている。
【０１３３】
また、アンテナポートはプリコーディングベクトル（Precoding vector）の重み付けを乗算する最小単位として規定されることもある。
【０１３４】
（６）上記各実施の形態では、本発明をハードウェアで構成する場合を例にとって説明したが、本発明はハードウェアとの連携においてソフトウェアでも実現することも可能である。
【０１３５】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３６】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３７】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３８】
２０１０年４月３０日出願の特願２０１０−１０５３２１の日本出願に含まれる明細書、図面および要約書の開示内容は、すべて本願に援用される。
【産業上の利用可能性】
【０１３９】
本発明の送信装置、受信装置、送信方法、及び通知方法は、チャネルの時間変動に対する追従性の低下を抑えつつ、SRSリソースの増加を抑えることができるものとして有用である。
【符号の説明】
【０１４０】
１００  基地局
１０１  設定部
１０２  パイロット処理部
１０３，１０４，１０５  符号化・変調部
１０６  多重部
１０７，２１３  ＩＦＦＴ部
１０８，２１４  ＣＰ付加部
１０９，２１５  送信部
１１０，２０１  アンテナ
１１１，２０２  受信部
１１２，２０３  ＣＰ除去部
１１３，２０４  ＦＦＴ部
１１４  抽出部
１１５  周波数等化部
１１６  ＩＤＦＴ部
１１７  データ受信部
１１８  ＡＣＫ／ＮＡＣＫ受信部
１２１  ＰＤＣＣＨ情報設定部
１２２  上位レイヤ情報設定部
２００  端末
２０５  分離部
２０６  設定情報受信部
２０７  ＰＤＣＣＨ受信部
２０８  ＰＤＳＣＨ受信部
２０９，２１０  変調部
２１１  ＤＦＴ部
２１２  マッピング部
２１６  パイロット生成部
【図１】
2011135788.tif 000003
【図２】
2011135788.tif 000004
【図３】
2011135788.tif 000005
【図４】
2011135788.tif 000006
【図５】
2011135788.tif 000007
【図６】
2011135788.tif 000008
【図７】
2011135788.tif 000009
【図８】
2011135788.tif 000010
【図９】
2011135788.tif 000011
【図１０】
2011135788.tif 000012
【図１１】
2011135788.tif 000013
【図１２】
2011135788.tif 000014
【図１３】
2011135788.tif 000015
【図１４】
2011135788.tif 000016
【国際調査報告】
2011135788.tif 000017
2011135788.tif 000018
2011135788.tif 000019
2011135788.tif 000020